(57)【要約】      （修正有）【課題】海流を利用して発電する水流式発電装置を提供する。【解決手段】海岸近くに設けられる複数の堤体と、堤体の間に配置される海流発電機と、堤体の海流引き潮側及び海流満ち潮側に設けられる柵を備える。堤体は、ステンレス製のパイプ外周面に複数のボックスが、パイプ中心軸線方向に間隔をあけて螺旋状に固定して構成される。パイプの回転によって、海流発電機のタービンが回転駆動される。【選択図】図２
0003178300.tif 000002
【実用新案登録請求の範囲】
【請求項１】
浅い海域にて海流の流れが早く（図示−１）のステンのボックスにて海流を含み回転活動を起こす提体を数多く設置する。
海流に寄る発電可能なる器具を設ける事を特徴とする海流発電機で或る。
ボックスとボックスの間隔を５０ｍｍ程に取る。
次なるボックスに素早く海流が流れ込む為の間隔で無ければ成ら無い！
【請求項２】
（図示−２）に示した様に３点を基準にボックスは螺旋状に取り付ける事に意義が或る。
発電の為の回転を滑らかなる回転にする。
【考案の詳細な説明】
【技術分野】
【０００１】本考案は満潮時と干潮時の海流を利用に関し、特に浅い流れの早い海域に設置する。
【背景技術】
【０００２】我国は四方を海に囲まれ要る関係で浅き流れの早い場所は日本全国には幾多と存在する。【０００３】大都市にては土地の確保の為に昔は遠浅で有ったが埋立て領土の拡張と人口の増加に対処しているが、瀬戸内海等には渦を巻く程の流れは或る。
日本地図には海峡や水道の名称地は数知れず！
利用の価値は充分に存在する。【０００４】現在に於ては原発の廃止の運動が高まる中にて、海流の利用は見逃す事は出来無いで有ろう。【０００５】原子力発電の建設と建設地の回りの市町村に配布する金額に比べたならば百分の一位の金額にて原発以上の発電は可能と成る。
【先行技術文献】
【特許文献】
【０００５】サイドの蓋とパイプの厚みは８ｍｍ以上として、流木に耐える物とする。取り替えは不可能に近い！
内部より潤滑の固定の油をステンのベヤリングに注ぐパイプの回転を潤滑にする為にはベヤリングもステンの物を使用する。【０００６】
【特許文献１】特開２０１１−１７２６４
【特許文献２】特開２００３−３０１７６７
【考案の概要】
【考案が解決しようとする課題】
【０００７】しかし、特許文献１、２記載の水車式には１に対しては素材に問題点が？  ２、に対しては川にもと有り？
両物には流木にての破損の課題は残る事と成る。【０００８】本考案はかかる問題点の解決策として、海流のみとし満潮時と干潮時に対しての防備の為の柵を備えた。
又、海底からの異物の排除も設置して或る。
流木の排除に関しては二種類の方法を図示して要る。
台風等の荒波に対しても満潮時より２Ｍ以上の柵を！【０００９】本考案は大型船舶と漁船の安全確保の為の赤色灯の設置も同時に考案をして或る。
そして、棚には干潮時より２Ｍの下部より前後には補強柱を取り付けて堅固な物とする。
流木は浮く物として！
海底の異物に対しても配慮を施した。【００１０】設置する流れの早い、浅い海域は肉眼にては狭い感じはすれど、相手は海で或る。
沖に対しては１ＫＭも無い事も或る？
しかし、沿岸部に平行する距離は長い。
図示−４は５００Ｘ５００と仮定しての図示、回転するパイプを６Ｍとして４Ｍのタービンを両側に、中心には蓄電池を備える。５００÷１０＝５０縦に関しては、５００÷２＝２５０と成る。
巾は５０本と縦は２５０本＝１２、５００本の回転式発電機の設置は可能と成る。
ボックスはＡ、Ｃ、は２０ヶＢは１９ヶとし、５９ヶ所Ｘ１２、５００本＝７３７、５００のボックスの数に及ぶ１２、５００本のパイプの全てが勢く良く回転させ、其の上で歯車の数を増やす事でタービンの回転を寄り早くする事は可能では無いか。
発電能力は風力やソーラー発電には比較出来無い能力と成る。【００１１】管理室を設置してセンサーにて異物と発電能力を管理し居座の時には予備のボックスを取り替える。
管理する人には電気管理士の免許とダイビングの免許の二種類を兼ね備えた者が最適では無いか？
此の管理は２４時間体制で無ければ成らず、人員最低でも１組４名ｘ３交替として１２名は？
設置面積に関係するが。【００１２】ステンレスの部材に於ては海水に腐食シナイ性質を持った物が或る。
（例）太平工材（株）品名、オーステナイト．
フェライト系，３２９Ｊ４Ｌ＜３０２
各くメーカ−にも存在する。
故に、半永久的な発電機能として存在！【００１３】（利点）一、風力発電と違い発電する電力の強弱は無い。又、近隣の住宅に対しての振動            に寄る精神的な障害も無い。
二、ソーラー発電には夜、雨、曇り、に対して発電機能は失われる。
台風や竜巻にての破損の恐れは必至。【００１４】海流に寄る発電に対して満潮時と干潮時に一時は停止する事は有るが、全ての設置場所に於ては時間の擦れは有る。設置場所が遠方ならば発電は一斉に停止する事は無い！【００１５】１Ｍのパイプの３点を基準に螺旋状にボックスを固定したかは、一列に固定する寄りも、滑らかな回転を施した為で或る。
ボックスの間隔を５０ｍｍとしたかは、次のボックスに流れ込む海流の威力を見込んだ為で或る。【００１６】台風にての荒波は必至と見るが、流木の恐れは無い？
豪雨にての洪水は流木の恐れは絶対に有るが台風の様な荒波は無いと確信する。故に、満潮時よりの防御に対して、柵を２Ｍの高さに設置した。【００１７】図示−２には４Ｍのコンクリ−トのタ−ビンと蓄電機の設置場所を設けて或るが、流れに逆らわず１本化に設けて、人が働けるだけの間隔を取る。
図示には平らな図面に設計したが片流れの勾配を。
居座の時には上部の扉より、故障の現場に近いドアより進入して速やかに修理する。
海水の流入は如何にドアにネオチュウブを施しても流入
0003178300.tif 000003
ドアもステンレスにて施工の事！
図示−２のステンレスのドアは３０ｍｍ上部に取り付ける。【００１８】回転するパイプの位置には防御の柵は出来る限り巾は広く取り、海水の流れを良くする事。
満潮時と干潮時に於ても同じ事が言える。【００１９】管理人は日に最低１度は柵と水車の点検に見回る事！
柵にては上部と下部、水車にては歪みの確認に！
【図１】
0003178300.tif 000004
【図２】
0003178300.tif 000005
【図３】
0003178300.tif 000006
【図４】
0003178300.tif 000007
【図５】
0003178300.tif 000008
【図６】
0003178300.tif 000009
【図７】
0003178300.tif 000010
【手続補正書】
【提出日】平成24年4月16日(2012.4.16)
【手続補正１】
【補正対象書類名】実用新案登録請求の範囲
【補正対象項目名】全文
【補正方法】変更
【補正の内容】
【実用新案登録請求の範囲】
【請求項１】
本考案は海流の流れが早く、余り深く無い海域を選びステンレスのパイプとＢＯＸを用いて海流を素早く含み螺旋状にＢＯＸを配置し滑らかな回転活動を起こす提体を数多く設置する、又、流木や沈殿ゴミを排除する為の柵を上流と下流に配備しての海流に寄る発電可能なる器具を設ける事を特徴とする海流発電機。
【手続補正４】
【補正対象書類名】明細書
【補正対象項目名】全文
【補正方法】変更
【補正の内容】
【考案の詳細な説明】
【技術分野】
【０００１】自然エネルーギの開発。
【先行技術文献】
【特許文献１】特開２０１１−１７２６４
【特許文献２】特開２００３−３０１７６７「特許文献１」  に関して材質に問題が、「特許文献２」  に関しても材質と河川にと明記は有れど流木や沈殿コミの対策は
【考案の概要】
【考案が解決しようとする課題】
【０００２】＊  日本には使用済みの核燃料棒の処理能力は無い。＊  日本には使用済みの核燃料棒の埋蔵の土地は無い＊  日本国の四方は幾多の活断層に囲まれ地下には水の槽の土地にて埋蔵は不可能と判断される為。
【課題を解決するための手段】
【０００３】＊  日本は四面、海に囲まれて渦を巻く程の流れの早き所や、海峡、水道の名称地は幾多と存在する。＊  日本の企業に於ては年間億を越える電気料金を支払う会社は幾多と或る此等の企業には海流発電機の設置を認め各地の漁業協同組合と連係を保ち協力し合う事にて市町村の電気料金は無と化す。＊  独占禁止の廃止を計る為。
【考案の効果】
【０００４】＊  無駄な税金の削減と安全確保の為に成る。＊  原発、水力、火力等にはそれぞれの多額の資金は必至と見る。＊  ダムにての工事に際しては故郷を無くす恐れ有り。＊  ダムにて貯水されし水が回りの崖崩れの恐れ有り。＊  火力にては二酸化炭素の排出と燃料費の問題。＊  原発を廃止した後、火力に依存すれば光化学スモックは？＊  日本が世界で最初に受けた原子爆弾と放射能の脅威を原発を廃止した上にて世界に発振し原発を世界より取り除く事こそ、日本の取るべき立場では無いのか！＊  中国の原発の事故の際には黄砂と同じく日本にも影響が。
【図面の簡単な説明】
【０００５】
【図１】立面図  ＊、回転の為のＢＯＸをビスの穴とパイプの穴は一定とする、蓋穴も同じく、＊、ＢＯＸの大きさは縦を３０ｃｍ、幅は２５ｃｍ、奥行きは２５ｃｍ、＊、回転のパイプは直径１Ｍとして、厚みは６ｍｍ〜８ｍｍ位に、＊、両再サイドのパイプの蓋は可動が加わる為、１０ｍｍとする、＊、海流を素早く受ける為の受け皿と、逃さぬ為の跳ね皿を設ける、
【図２】立面図  ＊、１Ｍのパイプを３等分、Ａ、Ｂ、Ｃと起点を定め螺旋状に滑らかな回転を！＊、ＡとＣは６Ｍのサイドからサイドまで、ＢＯＸとＢＯＸの間は５ｃｍの間、＊、Ｂ点はＡ、Ｃ等の５ｃｍの間の中心にＢＯＸを固定する、流入を素早く、＊、タービンに回転を導くパイプの直径は１０ｃｍで厚みは１０ｍｍとする、＊、タービンＢＯＸは居座の時の為に職人が働き安い間隔を取る、＊、タービンの回転をより早くする為の歯車の設置、とチエーンの開発、＊、設置面積に関係するが最低２ケ所の人口を設ける、＊、如何に防水を施しても海水の流入は或る其の為の測溝と排出を考慮に入れる、
【図３】平面図  ＊、設置面積を仮定して図示した物、＊、基礎は岩盤に至る、コンクリートの土台と４方には勾配を設ける、＊、流木や沈殿ゴミの排除の柵と安全な航行の為の赤色灯の図示、
【図４】平面図  ＊、仮定として５００ＭＸ５００Ｍの海流発電機の設置場所の図、＊、タービンＢＯＸ〜タービンＢＯＸの芯は１０Ｍ、回転パイプは６Ｍ、５００Ｍ÷１０Ｍ＝５０本、５００Ｍ÷２Ｍ＝２５０本  １本のＢＯＸの数は５９ケと成る。５０ｘ２５０＝１２、５００ｘ５９ケ＝７３７、５００。＊、肉眼にて見る海は狭く感じるが、実際には海は広い物也！沿岸沿いには５００Ｍでは無く１Ｋ〜３Ｋは或る。沖に対しては深く成る？
【図５】立面図  ＊、流木や沈殿ゴミの排除の柵と間隔を図示、＊、支柱は２０ｃｍＸ２０ｃｍとする、間隔は２、５Ｍに！
【図６】平面図  ＊、沿岸沿い〜島の場合と島〜島の場合の流木や沈殿ゴミの排除の柵を示す、＊、海流発電装置の前後に設置の事、
【図７】立面図  ＊、支柱は２０ｃｍＸ２０ｃｍとする、＊、満潮時の１５ｃｍＸ３ｃｍの横の柵は図示の如し、干潮時も同じ。＊、地元の漁業協同組合と連係を保ちて此の柵に巻き網の設置を認める事、しかし、底のゴミの撤去は船を持ちし漁民と管理の者の共同にて、＊、流木が柵にて流れ無い時はダイビングの訓練を受けた者と漁民の共同、＊、満潮時より２Ｍ高くする、干潮時より２Ｍ下より補強の柱を前後に設置、＊、横の柵の角の棚は１５ｃｍＸ３  ｃｍを、流木は浮く物として２ｃｍの間隔にて、満潮時〜干潮時の下場の１Ｍまで、最下部の沈殿ゴミも同じく、
【考案を実施するための形態】
【０００６】本考案は潮の満ち引きを利用し、水車式の形態にてステンレスのパイプとＢＯＸを配置しする海流発電機。
【０００７】（注）技術分野に明細、２の０００１
【符号の説明】（図１）立面図００１−ＢＯＸの蓋や固定する為には８．５ｍｍの馬鹿穴を開ける。ボルトは８ｍｍでワッシャとナットにて固定し一度締めつけた物は戻ら無いナットは有る。        ＢＯＸの取り外しには器具は必要とするが、簡単な器具で或る。００２−ＢＯＸの下場の穴は６．３〜５ｍｍの穴を開く、パイプは６ｍｍのネジ山のタップをパイプ１０−は直径１Ｍの物にて、厚みは６ｍｍ〜８ｍｍの物を使用する。ＢＯＸ−    は如何なるＢＯＸを取り替えてもビスの穴は同一とする。            ＢＯＸの取り替えの為には回転を止める必要性は或る為、管理室にて操作する。（図２）立面図００３−設置面積にては区分の方法も異なるが（図２）は満ち潮と干潮時のタービンの回転が異なる為に明記した図で有る。００４−タービンや配線に異常が有ったならば作業員が進入する為の入口で二ケ所も有れば良い００５−サイドの蓋は回転の可動が加わる為に１０ｍｍとして。１Ｍのパイプを３等分にＡＢＣを起点に螺旋状にＢＯＸを配置する事に寄って滑らかな回転が得られる。００８−同上、回転が異なる為に分別の図示。００９−同上、蓄電室の配線図でも有る。１２−海流の方向を示す。１３−回転方向を示す。（注）＊  Ａ点とＣ点を起点としたＢＯＸは６Ｍのサイド寄り取り付ける為、数は２０ケと成る、Ｂ点はＡ点の５０ｍｍの間隔の中心を起点に取り付ける為に数は１９ケと成る。    １本のパイプに取り付けるＢＯＸの数は全部で５９ケの計算と成る。＊  螺旋状にＢＯＸを取り付けるには隣のＢＯＸとの差は設計の上にて決定の事。（図３）平面図＊  仮定として５００Ｍの５００Ｍの設置面積の図示で有るが、沿岸沿いに１０００Ｍ、沖に対して５００Ｍならば満潮時と干潮時を５００Ｍに区分したならばタービンの形状は異なり、寄り多くの発電は可能と成る。＊  ５００Ｍの５００Ｍの設置面積の以外は異物の排除の為に勾配を取る。注意事項例え流れの早い海流が有ったとしても、四国の愛媛県南宇和島郡白泊と鹿島島の間には天然のサンゴショウの群生地帯で其の隣には海流発電に適した場所は或る。しかし、日本全国には此様な場所は幾多と存在するで有ろうがサンゴショウを守る観点から見て、海流発電の設置はしては成ら無い！「符号の説明」続く（図４）平面図＊  （図３）と同じく仮定として５００Ｍｘ５００Ｍとして５００Ｍ÷１０Ｍ＝５０本と成る。＊  ５００Ｍ÷芯芯２Ｍの間隔にてパイプを設置したとして直径１Ｍのパイプの間隔はパイプとパイプの端と端は１Ｍの余裕と成る、ＢＯＸの大きさは２５ｃｍで受け皿は１５ｃｍで跳ねは３．５ｃｍ＝４３．５ｃｍと成り前後のＢＯＸの接触は無い。＊  芯芯１０Ｍの間隔に対してパイプの全長は６Ｍで両サイドに２Ｍづつの余裕と隣のパイプの２Ｍとプラスすればタービン室の幅は４Ｍと成る。＊  ５００Ｍの両サイドのタービン室も４Ｍにすれば尚の事良い。ならば５０４Ｍと成る＊  図面の説明「０００５」の（図４）に５００Ｍの正方形に対して、７３７、５００ケのＢＯＸの数に成る、流れの良い海流ならば発電の量は多い物に成るで有ろう。００３  ＊  タービンの設置した図でも或る。そして、満潮時と干潮時の側面はＲの形状とする。（図５）立体図＊  満潮時と干潮時の流木と海底に流れ込むゴミの排除の為のス���ンレスの間隔と柱の芯芯を示した物で、水車ＢＯＸの位置には１０ｃｍ〜２０ｃｍの間隔を開けて置く。海流を多く取り込む為に。＊  前後の補強柱は（図７）に示して要る。（図６）平面図＊  沿岸部より島に海流の流れが早く発電能力の場所を示した図で或る、２．５ｍを芯芯に２００ＭＭの角パイにて補強柱を設置の事、流木や海底のゴミは大型船舶の航行する深い海域に放棄する。    又は、漁船に積み込み、一定の放棄する場所に運ぶ物とする。＊  上部には大型船舶や漁船の安全な航行の為の赤色灯の設置を義務付ける。雪の日も嵐の日も、霧の日も良く見える物が最適では無かろうか。（図７）立面図    ＊注意事項＊  前回提出した補強柱に付き、手続補正指令書を送られて、補強柱の細さに愕然と致しました、如何なる荒波が、想定外の事態が起こる世の中に現在は或る、其の補強柱が何と１００ｍｍＸ１００ｍｍと成って居た。    訂正に関しては２００ｍｍＸ２００ｍｍに！    そして、基礎は岩盤に至るか堅固な鉄筋を多く用いてコンクリートにて固めるか？    此の図面を訂正して再度御送付致します、コンピュターの登録には１枚に付き何某の金銭は必要と思います、何時でも御支払致す所存でございます。＊  支柱と梁、及び棚のステンレスに関し交わる所は全てアングルの補強をステンにて、＊  矢印は海流が流れ込む方向を示す。＊  補強のブレェ−トは両面よりボルトにて固定する、其の上溶接の事。
【手続補正書】
【提出日】平成24年4月16日(2012.4.16)
【手続補正１】
【補正対象書類名】図面
【補正対象項目名】図７
【補正方法】変更
【補正の内容】
【図７】
0003178300.tif 000011
【手続補正書】
【提出日】平成24年6月21日(2012.6.21)
【手続補正１】
【補正対象書類名】実用新案登録請求の範囲
【補正対象項目名】全文
【補正方法】変更
【補正の内容】
【実用新案登録請求の範囲】
【請求項１】
海岸近くの海底に相互に間隔をあけて設けられ、ステンレス製のパイプ外周面に、複数のボックスがパイプ中心軸線方向に間隔をあけて螺旋状に固定して構成され、上記複数のボックスが引き潮時又は満ち潮時における海流を受けることによって上記パイプが回転される複数の堤体と、
該複数の堤体の間に配置され、上記パイプの回転によってタービンが回転駆動されることによって発電を行う海流発電機と、
上記堤体の海流引き潮側及び海流満ち潮側に設けられ、流木及び塵が上記堤体に流入するのを排除する柵と、を備えたことを特徴とする水流式発電装置。
【手続補正３】
【補正対象書類名】図面
【補正対象項目名】図４
【補正方法】変更
【補正の内容】
【図４】
0003178300.tif 000012